(57)【特許請求の範囲】
【請求項１】
前面部（３０６）を有するケーシング（３０）と、
前記ケーシングに収容される熱交換器（３１）と、
前記熱交換器の空気流上流側に配設されるフィルタ（５０）と、
前記前面部と前記フィルタとの間において前記フィルタの下端近傍に配設される埃受け部材（８０）と、
を備える壁掛け型の空調室内機（３）であって、
前記埃受け部材は、前記フィルタ方向に向かって下り勾配がつけられた傾斜面（８２ａ）を有し、
前記傾斜面は、上方から落下する塵埃を受ける、
空調室内機。
【請求項２】
前記傾斜面は、前記ケーシングの長手方向に沿って延びる、
請求項１に記載の空調室内機。
【請求項３】
前記フィルタが着脱自在に装着されるフィルタ支持部材（７０）をさらに備え、
前記埃受け部材は、前記フィルタの下端近傍において前記フィルタの一部分（５００）と当接することにより、前記フィルタ支持部材に前記フィルタが装着された状態を保持する、
請求項１または２に記載の空調室内機。
【請求項４】
前記埃受け部材は、前記フィルタ支持部材に回動自在に固定され、前記フィルタに近づく方向に回動して前記フィルタの一部分と当接することにより前記フィルタ支持部材に前記フィルタが装着された状態を保持する、
請求項３に記載の空調室内機。
【請求項５】
前記ケーシングは、本体部（３０４、３０５）をさらに有し、
前記前面部は、前記ケーシングの前面部分を開放自在に前記本体部に取り付けられ、
前記フィルタの下方に配設され、前記ケーシングの前面部分を開放した時に室内側に露出する第１部材（６１）をさらに備え、
前記傾斜面は、前記第１部材の上方に位置する、
請求項１から４のいずれか１項に記載の空調室内機。
【請求項６】
前記傾斜面は、前記前面部近傍から前記フィルタ近傍まで延びる、
請求項１から５のいずれか１項に記載の空調室内機。
【請求項７】
前記フィルタを移動可能に支持するローラ（５１３）をさらに備え、
前記傾斜面は、前記ローラの上方であって前記第１部材近傍よりも風速が速い箇所に位置する、
請求項５に記載の空調室内機。
【発明の詳細な説明】
【技術分野】
【０００１】
本発明は、空調室内機に関する。
【背景技術】
【０００２】
従来、熱交換器への塵埃の付着を防止するために熱交換器の空気流上流側にフィルタを備えた空調室内機が知られている。例えば、特許文献１（特開平６−１１４２２４号公報）に開示された空調室内機は、フィルタをローラで周回させてブラシに接触させることにより、フィルタに付着した塵埃を除去してゴミ受皿に収納するフィルタ清掃機能を有するフィルタユニットを、熱交換器の空気流上流側に備えている。
【発明の概要】
【発明が解決しようとする課題】
【０００３】
しかし、従来の空調室内機においては、空調室内機内に侵入した塵埃が、フィルタに吸着されずにフィルタの空気流上流側下方へと落下し、フィルタ下方に配置される部材に堆積することが考えられる。かかる場合、メンテナンス時に室内機の前面部分を開放すると、堆積した塵埃が室内へと飛散して室内空間が汚染されやすい。
【０００４】
そこで本発明の課題は、メンテナンス性に優れた空調室内機を提供することである。
【課題を解決するための手段】
【０００５】
本発明の第１観点に係る空調室内機は、壁掛け型の室内機であって、ケーシングと、熱交換器と、フィルタと、埃受け部材と、を備える。ケーシングは、前面部を有する。熱交換器は、ケーシングに収容される。フィルタは、熱交換器の空気流上流側に配設される。埃受け部材は、前面部とフィルタとの間においてフィルタの下端近傍に配設される。埃受け部材は、フィルタ方向に向かって下り勾配がつけられた傾斜面を有する。傾斜面は、上方から落下する塵埃を受ける。
【０００６】
本発明の第１観点に係る空調室内機では、前面部とフィルタとの間においてフィルタの下端近傍に、埃受け部材が配設される。埃受け部材は、上方から落下する塵埃を受ける傾斜面を有する。これにより、フィルタに吸着されずに落下する塵埃は傾斜面で保持されやすい。また、傾斜面はフィルタ方向に向かって下り勾配がつけられているため、傾斜面にたまった塵埃がフィルタ方向に流されてフィルタに吸着・保持されやすい。このため、埃受け部材および埃受け部材の下方に位置する部材に塵埃が堆積しにくくなる。よって、メンテナンスを行う場合に室内機の前面部分を開放したときに、塵埃が室内へと飛散して室内空間が汚染されることが抑制される。したがって、メンテナンス性が向上する。
【０００７】
本発明の第２観点に係る空調室内機は、第１観点に係る空調室内機であって、傾斜面は、ケーシングの長手方向に沿って延びる。
【０００８】
本発明の第２観点に係る空調室内機では、傾斜面は、ケーシングの長手方向に沿って延びる。これにより、フィルタに吸着されずに落下する塵埃が、傾斜面でさらに保持されやすくなり、埃受け部材の下方に位置する部材に塵埃がさらに堆積しにくくなる。
【０００９】
本発明の第３観点に係る空調室内機は、第１観点又は第２観点に係る空調室内機であって、フィルタが着脱自在に装着されるフィルタ支持部材をさらに備える。埃受け部材は、フィルタの下端近傍においてフィルタの一部分と当接することにより、フィルタ支持部材にフィルタが装着された状態を保持する。
【００１０】
本発明の第３観点に係る空調室内機では、埃受け部材は、フィルタの下端近傍においてフィルタの一部分と当接することにより、フィルタ支持部材にフィルタが装着された状態を保持するフィルタロック機能を有する。これにより、埃受け部材と支持部材とを別々に設ける必要がなくなり部材数が削減されるため、簡単な構成でメンテナンス性を向上できるとともに製造コストを抑えることができる。
【００１１】
本発明の第４観点に係る空調室内機は、第３観点に係る空調室内機であって、埃受け部材は、フィルタ支持部材に回動自在に固定される。埃受け部材は、フィルタに近づく方向に回動してフィルタの一部分と当接することによりフィルタ支持部材にフィルタが装着された状態を保持する。
【００１２】
本発明の第４観点に係る空調室内機では、埃受け部材は、フィルタに近づく方向に回動してフィルタの一部分と当接することによりフィルタ支持部材にフィルタが装着された状態を保持する。これにより、さらに簡単な構成でメンテナンス性を向上できる。
【００１３】
本発明の第５観点に係る空調室内機は、第１観点から第４観点に係る空調室内機であって、フィルタの下方または空気流上流側に配設される第１部材をさらに備える。ケーシングは、本体部をさらに有する。前面部は、ケーシングの前面部分を開放自在に本体部に取り付けられる。第１部材は、ケーシングの前面部分を開放した時に室内側に露出する。傾斜面は、第１部材の上方に位置する。
【００１４】
本発明の第５観点に係る空調室内機では、傾斜面は、ケーシングの前面部分を開放した時に室内側に露出する第１部材の上方に位置する。これにより、第１部材に塵埃が堆積しにくくなる。
【００１５】
本発明の第６観点に係る空調室内機は、第１観点から第５観点に係る空調室内機であって、傾斜面は、前面部近傍からフィルタ近傍まで延びる。
【００１６】
本発明の第６観点に係る空調室内機では、傾斜面は、前面部近傍からフィルタ近傍まで延びる。これにより、第１部材上方における前面部とフィルタの間の空間の大部分が傾斜面によって塞がれ、第１部材に塵埃がさらに堆積しにくくなる。
【００１７】
本発明の第７観点に係る空調室内機は、第５観点に係る空調室内機であって、フィルタを移動可能に支持するローラをさらに備える。傾斜面は、ローラの上方であって第１部材近傍よりも風速が速い箇所に位置する。
【００１８】
本発明の第７観点に係る空調室内機では、傾斜面は、ローラの上方であって第１部材近傍よりも風速が速い箇所に位置する。これにより、傾斜面に溜まった塵埃がフィルタ側へとさらに流れやすくなり、傾斜面および第１部材に塵埃がさらに堆積しにくくなる。
【発明の効果】
【００１９】
本発明の第１観点に係る空調室内機では、埃受け部材および埃受け部材の下方に位置する部材に塵埃が堆積しにくくなり、メンテナンス性が向上する。
【００２０】
本発明の第２観点に係る空調室内機では、埃受け部材の下方に位置する部材に塵埃がさらに堆積しにくくなる。
【００２１】
本発明の第３観点に係る空調室内機では、簡単な構成でメンテナンス性を向上できるとともに製造コストを抑えることができる。
【００２２】
本発明の第４観点に係る空調室内機では、さらに簡単な構成でメンテナンス性を向上できる。
【００２３】
本発明の第５観点に係る空調室内機では、第１部材に塵埃が堆積しにくくなる。
【００２４】
本発明の第６観点に係る空調室内機では、第１部材に塵埃がさらに堆積しにくくなる。
【００２５】
本発明の第７観点に係る空調室内機では、傾斜面および第１部材に塵埃がさらに堆積しにくくなる。
【図面の簡単な説明】
【００２６】
【図１】本発明の一実施形態に係る空調室内機を使用した空気調和装置の正面図。
【図２】本発明の一実施形態に係る空調室内機の正面斜視図。
【図３】図２のIII-III線断面図。
【図４】図３のＡ部分の拡大図。
【図５】フィルタユニットの正面斜視図。
【図６】前面パネルを取り外した状態の空調室内機の正面斜視図。
【図７】清掃ユニットボックスを取り外した状態のフィルタ機構の正面斜視図。
【図８】支持フレームの斜視図。
【図９Ａ】埃受け部材使用時（ロック状態）における埃受け部材の正面図。
【図９Ｂ】埃受け部材使用時（ロック状態）における埃受け部材の平面図。
【図９Ｃ】埃受け部材使用時（ロック状態）における埃受け部材の底面図。
【図９Ｄ】図９ＡのＹ−Ｙ線断面の拡大図。
【図１０】埃受け部材不使用時（アンロック状態）における図７のＢ部分の拡大図。
【図１１】埃受け部材使用時（ロック状態）における図７のＢ部分の拡大図。
【図１２】図１２のＣ部分を左方向から見た場合の拡大図。
【図１３】前面パネルおよび埃受け部材を取り外した状態の空調室内機の正面斜視図。
【発明を実施するための形態】
【００２７】
以下、図面を参照しながら、本発明の実施形態について説明する。なお、以下の実施形態は、本発明の具体例であって、本発明の技術的範囲を限定するものではない。また、以下の説明において、上、下、左、右、正面（前）、背面（後）といった方向を示す語句を用いているが、これらの方向は、特にことわりのない限り、図１および図３に示す方向を意味する。
【００２８】
（１）空気調和装置１
図１は、空気調和装置１の正面図である。空気調和装置１は、室内空間の熱負荷を処理して空気調和を実現する装置である。空気調和装置１は、主として、室外機２と、室内機３と、冷媒配管４とから構成され、冷房運転や暖房運転等を行うことができる。
【００２９】
（１−１）室外機２
室外機２は、室外に設置されており、その外郭はハウジング２０によって構成されている。ハウジング２０の内部には、主として室外熱交換器、室外ファンおよび圧縮機等が収容されている（図示省略）。室外機２は、室内機３と冷媒配管４を介して接続されて冷媒回路を構成している。
【００３０】
（１−２）室内機３
次に図１から図３を参照して、室内機３について説明する。図２は、室内機３の正面斜視図である。図３は、図２のIII-III線断面図である。
【００３１】
室内機３は、壁掛けタイプで、室内機保持具（図示省略）を介して室内の天井近傍の壁に設置されている。室内機３の外郭はケーシング３０によって構成されている。
【００３２】
（１−２−１）ケーシング３０
ケーシング３０は、左右に長い横長の形状をしており、主として、樹脂製または金属製の板状部材である背面板３０１、底板３０２、天板３０３、左側板３０４、右側板３０５および前面パネル３０６により、それぞれ構成されている。なお、これらのケーシング部材は、背面板３０１を除いて、室内機３を設置した状態で適宜取り外しが可能である。
【００３３】
背面板３０１は、ケーシング３０の背面部分を構成しており、室内機保持具に固定されている。底板３０２は、ケーシング３０の底面部分を構成しており、背面板３０１の下端において固定されている。底板３０２には、左右に長い下吸込口３０２ａが形成されており、この下吸込口３０２ａは、フラップ３０２ｂで塞がれている。フラップ３０２ｂは、フラップモータ（図示省略）の駆動によって回動し、下吸込口３０２ａの開閉を行っている。
【００３４】
天板３０３は、ケーシング３０の天面の後端近傍部分を構成しており、背面板３０１の上端において固定されている。左側板３０４はケーシング３０の左側面を、右側板３０５は右側面をそれぞれ構成している。左側板３０４および右側板３０５は側面視において略扇形の形状を有しており、背面板３０１、底板３０２および天板３０３に係合して固定されている。また、左側板３０４および右側板３０５の前端の上部には、後述する前面パネル３０６の挿入リブ（図示省略）を差し込む挿入孔ＩＳが形成されている。
【００３５】
前面パネル３０６は、ケーシング３０の前面部分を構成している。前面パネル３０６は、正面側に膨らむように湾曲しており、その背面側の左右端部近傍には、前面パネル３０６を左側板３０４および右側板３０５の挿入孔ＩＳに差し込まれる挿入リブが、左右端部それぞれに２つずつ設けられている（図示省略）。この挿入リブが挿入孔ＩＳに差し込まれて係止することにより、前面パネル３０６は、左側板３０４および右側板３０５に固定されている。また、前面パネル３０６の下端近傍には吹出口３０６ａが形成されており、吹出口３０６ａはフラップ３０６ｂで塞がれている。フラップ３０６ｂは、フラップモータ（図示省略）の駆動によって回動し、吹出口３０６ａの開閉を行っている。
【００３６】
このように構成されるケーシング３０の天面部分の大部分（天板３０３の前端から前面パネル３０６の上端に至るまでの部分）は、開口となっており、上吸込口３０３ａとして機能している。この上吸込口３０３ａからは、後述するフィルタユニット５０（図５を参照）が露出している。
【００３７】
ケーシング３０の内部空間には、主として、室内熱交換器３１、室内ファン３２、フィルタ機構３３および各部の動作の制御等を行うための電装品ユニット（図示省略）等が収容されている。
【００３８】
（１−２−２）室内熱交換器３１
室内熱交換器３１は、クロスフィン型熱交換器である。室内熱交換器３１は、室内の空気と熱交換し、冷房運転時には冷媒の蒸発器として機能し、暖房運転時には冷媒の放熱器として機能する。これにより内部を流れる冷媒を蒸発又は凝縮させて、室内の空気を冷却又は加熱する。
【００３９】
室内熱交換器３１は、側面視において前方および上方に突出するように屈曲した形状を有し、室内ファン３２の上方に配置されている。
【００４０】
（１−２−３）室内ファン３２
室内ファン３２はクロスフローファンである。室内ファン３２は、室内熱交換器３１の下方に設けられており、その略上半分が、室内熱交換器３１に囲われている。室内ファン３２は、ファンモータ（図示省略）と接続されており、ファンモータが駆動することにより回転する。室内ファン３２が回転すると、室内の空気が室内機３の上吸込口３０３ａおよび下吸込口３０２ａからケーシング３０内部へと吸い込まれ、室内熱交換器３１を通過して吹出口３０６ａから吹き出されるようになっている。
【００４１】
（１−２−４）フィルタ機構３３
ここから、図３から図５を参照してフィルタ機構３３について説明する。図４は、図３のＡ部分の拡大図である。図５は、フィルタ機構３３の斜視図である。
【００４２】
フィルタ機構３３は、図３に示すように、室内熱交換器３１の空気流上流側において室内熱交換器３１を覆うように配設されており、ケーシング３０内に取り込んだ室内空気に含まれる塵埃を除去して、室内熱交換器３１に塵埃が付着することを防いでいる。フィルタ機構３３は、主として、フィルタユニット５０と、清掃ユニット６０と、支持フレーム７０と、埃受け部材８０と、から構成されている。
【００４３】
（１−２−４−１）フィルタユニット５０
フィルタユニット５０は、後述する支持フレーム７０（図３、図７および図８参照）の左右に１つずつ脱着可能に装着されている。フィルタユニット５０は、主として、フィルタガイド５１と、エアフィルタ５２と、から構成されている。
【００４４】
（１−２−４−１−１）フィルタガイド５１
フィルタガイド５１は、エアフィルタ５２を移動自在に保持する部材である。フィルタガイド５１は、主として、左連結部材５１１ａおよび右連結部材５１１ｂ（以下、左連結部材５１１ａおよび右連結部材５１１ｂを併せて連結部材５１１と呼ぶ）と、左右に延びる第１ローラ５１３および第２ローラ５１４と、から構成されている。
【００４５】
連結部材５１１は、上に凸に湾曲しており、側面視略台形状の形状を有している。連結部材５１１の前端には、第１ローラ５１３が回転自在に配設されており、また、連結部材５１１の後端には、第２ローラ５１４が回転自在に配設されている。
【００４６】
具体的には、左連結部材５１１ａの前端に第１ローラ５１３の左端近傍部分が固定され、後端に第２ローラ５１４の左端近傍部分が固定されている。また、右連結部材５１１ｂの前端に第１ローラ５１３の右端近傍部分が固定され、後端に第２ローラ５１４の右端近傍部分が固定されている。すわなち、第１ローラ５１３の左端近傍部分と第２ローラ５１４の左端近傍部分とは、左連結部材５１１ａによって連結されており、第１ローラ５１３の右端近傍部分と第２ローラ５１４の右端近傍部分とは、右連結部材５１１ｂによって連結されている。
【００４７】
左連結部材５１１ａと右連結部材５１１ｂとの間には、棒状部材５１５が複数配設されている。また、連結部材５１１の前端近傍には把手５１６が設けられている。この把手５１６は、支持フレーム７０にフィルタユニット５０を装着する際などに手で掴まれる樹脂製の板状部材である。
【００４８】
このように構成されたフィルタガイド５１を囲うようにエアフィルタ５２が、フィルタガイド５１に装着されている。
【００４９】
（１−２−４−１−２）エアフィルタ５２
エアフィルタ５２は、樹脂製の糸等で平織りまたは綾織された網であって、環形状に成形されている。エアフィルタ５２は、フィルタガイド５１に掛け渡されており、無端ベルト状に保たれている。具体的には、エアフィルタ５２の前側折返し部分が第１ローラ５１３によって保持され、後側折返し部分が第２ローラ５１４によって保持され、前側折返し部分から後側折返し部分に至るまでの部分が棒状部材５１５によって保持されている。このような態様で保持されることにより、エアフィルタ５２は、フィルタガイド５１を周回できるようになっている。なお、説明の便宜上、エアフィルタ５２の棒状部材５１５より上側にある部分を上フィルタ５２ａと呼ぶ。
【００５０】
（１−２−４−２）清掃ユニット６０
以下、図３から図７を参照して清掃ユニット６０について説明する。図６は、前面パネル３０６を取り外した状態の室内機３の正面斜視図である。図７は、清掃ユニットボックス６１を取り外した状態のフィルタ機構３３の正面斜視図である。
【００５１】
清掃ユニット６０は、エアフィルタ５２に付着した塵埃を除去するもので、主として、フィルタ駆動部６０１、ブラシ６０２、ブラシ駆動部６０３、ブラシ清掃部６０４、圧縮ローラ６０５および塵埃受け部６０６等を有している。ブラシ６０２、ブラシ清掃部６０４、圧縮ローラ６０５および塵埃受け部６０６は、清掃ユニットボックス６１内に収容されている。
【００５２】
清掃ユニットボックス６１は、右側面視において略Ｌ字状の樹脂製の筐体である。清掃ユニットボックス６１は、エアフィルタ５２の前側折返し部分近傍において支持フレーム７０に取り外し自在に固定されており、その上面部６１ａは、前面パネル３０６近傍から第１ローラ５１３の近傍まで延びる奥行きを有している。また、清掃ユニットボックス６１の正面部６１ｂは、前面パネル３０６近傍に位置している。清掃ユニットボックス６１は、このように配置されていることから、前面パネル３０６を取り外した際、その上面部６１ａおよび正面部６１ｂ等が外部に露出するようになっている。なお、ユーザーは、清掃ユニットボックス６１を支持フレーム７０から取り外すことにより、清掃ユニット６０のメンテナンスや塵埃受け部６０６内に溜められた塵埃を除去できるようになっている。
【００５３】
フィルタ駆動部６０１は、ローラ用モータ等で構成され、第１ローラ５１３の回転軸部分に接続されている。ローラ用モータが駆動すると第１ローラ５１３が回転し、エアフィルタ５２が周回する。
【００５４】
ブラシ６０２は、室内機３の長手方向に沿って細長い形状を有しており、長手方向に直行する断面が略円形の形状を有している。ブラシ６０２は、第１ローラ５１３の下方近傍に回転自在にとりつけられており、ブラシ６０２の一部はエアフィルタ５２に接触している。
【００５５】
ブラシ駆動部６０３は、ステッピングモータ等で構成され、ブラシ６０２の回転軸部分と接続されており、ステッピングモータが駆動することでブラシ６０２が回転するようになっている。
【００５６】
ブラシ清掃部６０４は、櫛状の部材で、ブラシ６０２の下方に配置され、ブラシ６０２に向かって突出してブラシ６０２と接触している。ブラシ清掃部６０４がこのように設けられていることで、ブラシ６０２の回転に伴ってブラシ６０２に付着した塵埃が掻き落とされるようになっている。
【００５７】
圧縮ローラ６０５は、回転可能に設けられた円柱状の棒状部材であって、ブラシ清掃部６０４の近傍においてブラシ６０２と接触するようにして配設されている。圧縮ローラ６０５は、ブラシ６０２が回転すると、ブラシ６０２の回転に追従して、ブラシ６０２の回転方向とは逆の方向に回転する。このように圧縮ローラ６０５が回転することにより、ブラシ清掃部６０４によってブラシ６０２から掻き落とされた塵埃は、さらに下方へと落とされるようになっている。
【００５８】
塵埃受け部６０６は、圧縮ローラ６０５の下方において配置されている。塵埃受け部６０６内には、圧縮ローラ６０５によって落とされた塵埃が溜められる。
【００５９】
（１−２−４−３）支持フレーム７０
以下、図３から図８を参照して支持フレーム７０について説明する。図８は、支持フレーム７０の斜視図である。
【００６０】
支持フレーム７０は、フィルタユニット５０および清掃ユニット６０等を支持している。支持フレーム７０は、主として、前後に延びる左端部材７０１、中央部材７０２および右端部材７０３と、左右に延びる前端部材７０４と後端部材７０５で構成されている。
【００６１】
左端部材７０１は支持フレーム７０の左端部分を構成し、右端部材７０３は支持フレーム７０の右端部分を構成している。中央部材７０２は、支持フレーム７０の中央部分に配設され、支持フレーム７０を左右に仕切っている。左端部材７０１、中央部材７０２および右端部材７０３の前端は、前端部材７０４と連結されており、後端は後端部材７０５と連結されている。
【００６２】
左端部材７０１と中央部材７０２との間には、保持部材７０６が配設されており、左フィルタ設置スペース７０ａが形成されている。また、中央部材７０２と右端部材７０３との間には、保持部材７０７が配設されており、右フィルタ設置スペース７０ｂが形成されている。この左フィルタ設置スペース７０ａおよび右フィルタ設置スペース７０ｂのそれぞれに、フィルタユニット５０が設置される。
【００６３】
左端部材７０１の内面および中央部材７０２の左側面には、フィルタユニット５０を差し込む左フィルタ差込部７０８ａが形成されており、右端部材７０３の内面および中央部材７０２の右側面には、フィルタユニット５０を差し込む右フィルタ差込部７０８ｂ（以下、左フィルタ差込部７０８ａおよび右フィルタ差込部７０８ｂを併せてフィルタ差込部７０８と呼ぶ）が形成されている。フィルタ差込部７０８は、フィルタガイド５１の連結部材５１１の形状に沿うように側面視において略台形状に湾曲しており、その前端部分が開放している。この前端の開放部分を介して、フィルタユニット５０がフィルタ差込部７０８に差し込まれる。
【００６４】
具体的にフィルタユニット５０を支持フレーム７０に装着する場合には、エアフィルタ５２の前側折返し部分近傍に設けられた把手５１６を掴み、エアフィルタ５２の後側折返し部分をフィルタ差込部７０８の前端の開放部分に差込んで、そのまま押し上げながら背面側へと押し込んでいく。そして、第１ローラ５１３がフィルタ差込部７０８の前端の開放部分の下方近傍に位置するまで押し込んだところで、それ以上に奥へと押し込めないようになっており、これによりフィルタ差込部７０８へのフィルタユニット５０の差込みが完了するようになっている。
【００６５】
左端部材７０１および右端部材７０３の内面ならびに中央部材７０２の両側面において、フィルタ差込部７０８の前端の開放部分の近傍には、後述する支持部８１の係合部８１３（図９Ｄ参照）と係合する係合リブ７０９がそれぞれ設けられている。また、係合リブ７０９の下方近傍には、後述する支持部８１の凹部８１１ａ（図９Ｄ参照）に嵌合する嵌合リブ７１０が設けられている。また、嵌合リブ７１０の下方近傍には、後述する支持部８１の回転軸８１２（図９Ａ〜Ｄを参照）を差し込む軸受け部７１１がそれぞれ設けられている。
【００６６】
（１−２−４−４）埃受け部材８０
以下、図４から図９Ｄを参照して埃受け部材８０について説明する。図９Ａは、埃受け部材使用時（ロック状態）における埃受け部材８０の正面図である。図９Ｂは、埃受け部材使用時（ロック状態）における埃受け部材８０の平面図である。図９Ｃは、埃受け部材使用時（ロック状態）における埃受け部材８０の底面図である。図９Ｄは、図９ＡのＹ−Ｙ線断面の拡大図である。なお、以下の説明において使用する上、下、左、右、正面（前）、背面（後）といった方向は、埃受け部材使用時（ロック状態）における方向を示し、具体的には、図９ＡからＤに示す方向を意味する。
【００６７】
埃受け部材８０は、左右に長い樹脂製の部材であって、フィルタユニット５０を支持フレーム７０に装着した状態を保持するフィルタロック機能と、エアフィルタ５２に吸着されずに前面パネル３０６側下方へと落下する塵埃を受ける埃堆積抑制機能と、を有している。埃受け部材８０は、左フィルタ設置スペース７０ａおよび右フィルタ設置スペース７０ｂの前端近傍部分に一つずつ設置されており、それぞれフィルタユニット５０の第１ローラ５１３の上方近傍に位置するように支持フレーム７０に取り付けられている。
【００６８】
埃受け部材８０は、主として、支持部８１と、傾斜板８２と、から構成されている。なお、支持部８１と傾斜板８２とは一体成形されているが、以下の説明においては、説明の便宜上、分けて説明する。
【００６９】
（１−２−４−４−１）支持部８１
支持部８１は、側面視において略ｒ字状を呈しており、埃受け部材８０の左右の端部にそれぞれ一つずつ設けられている。支持部８１は、主として、固定部８１０と、シャフト８１１と、回転軸８１２と、係合部８１３と、から構成される。
【００７０】
固定部８１０は、側面視において略三角形状を呈していて、その上部８１０ａは上に凸になだらかに湾曲しており、下部８１０ｂには段差が形成されている。また、その下部８１０ｂおよび後部８１０ｃの下端近傍においてシャフト８１１と連結している。また、後部８１０ｃは、背面側に平面部分を有しており、その左右いずれかの端部には、支持フレーム７０の係合リブ７０９と係合する係合部８１３が設けられている。
【００７１】
シャフト８１１は、屈曲しながら下方へと延びている。シャフト８１１の背面側には、支持フレーム７０の嵌合リブ７１０と嵌合する凹部８１１ａが側面視半円状に形成されている。また、シャフト８１１の下端近傍には、回転軸８１２が設けられている。
【００７２】
回転軸８１２は、支持フレーム７０の軸受け部７１１に回転自在に差し込まれている。この回転軸８１２が回転すると、シャフトが回動するとともに、シャフト８１１に連結されている固定部８１０が回動するようになっている。また、これとは逆に、固定部８１０を回動させると、シャフトが回動するとともに、回転軸８１２が回転するようになっている。
【００７３】
係合部８１３は、上下一対の前後方向に延びる突起であり、上下の突起には、それぞれ支持フレーム７０の係合リブ７０９と係合する窪みが形成されている。また、係合部８１３は、弾性を有している。
【００７４】
具体的に、係合部８１３と係合リブ７０９とが係合する場合には、まず、固定部８１０を上フィルタ５２ａに近づく方向（図９Ｄの二点鎖線矢印に示す方向）へ一定角度回動させて、係合部８１３の上側突起の後端部分と下側突起の後端部分の間に、係合リブ７０９を当接させる。そして、さらにそのまま回動させていくと、係合部８１３の上側突起と下側突起の間に係合リブ７０９が入り込み、やがて、それぞれの突起に形成された凹みに嵌まり込む。これにより、係合部８１３と係合リブ７０９とが、係合するようになっている。なお、これと略同時に、シャフト８１１の凹部８１１ａが、支持フレーム７０の嵌合リブ７１０と嵌合するようになっている。
【００７５】
（１−２−４−４−２）傾斜板８２
傾斜板８２は、左右に延びる樹脂製の板状部材であり、その左右の端部において支持部８１と繋がっている。傾斜板８２の上面には、傾斜面８２ａが設けられている。傾斜面８２ａの左右方向の長さは、上フィルタ５２ａの左右方向の長さと略同一となっている。また、傾斜面８２ａの前後方向の長さは、埃受け部材８０の使用時（ロック状態）における把手５１６の下端部分から前面パネル３０６までの水平方向の長さと略同一の長さとなっている。なお、埃受け部材８０の使用時（ロック状態）には、傾斜面８２ａは、背面側に向かって下り勾配をつけて傾斜するようになっている。
【００７６】
（２）埃受け部材８０の詳細機能
以下、図４から図１３を参照して、埃受け部材８０の詳細機能について説明する。図１０は、埃受け部材不使用時（アンロック状態）の図７のＢ部分の拡大図である。図１１は、埃受け部材使用時（ロック状態）の図７のＢ部分の拡大図である。図１２は、図１２のＣ部分を左側面から見た場合の拡大図である。図１３は、前面パネル３０６および埃受け部材８０を取り外した状態の室内機３の正面斜視図である。なお、以下の説明において、支持部８１をフィルタユニット５０側に回動させて、係合部８１３が係合リブ７０９に係合するとともに凹部８１１ａが嵌合リブ７１０と嵌合している状態（埃受け部材８０を使用している状態）をロック状態、そうでない状態をアンロック状態と呼ぶ。
【００７７】
埃受け部材８０は、ロック状態においてその機能を発揮するように支持フレーム７０に固定されている。具体的に、埃受け部材８０は、支持部８１の回転軸８１２を軸受け部７１１に差し込まれて支持フレーム７０に固定されている。そして、支持部８１を図１０に示す黒塗り矢印方向（図９Ｄに示す二点鎖線矢印方向）、すなわち上フィルタ５２ａに近づく方向に向かって所定の角度回動させると、係合部８１３が係合リブ７０９に係合するとともに凹部８１１ａが嵌合リブ７１０と嵌合して図１１に示すロック状態となり、フィルタロック機能および埃堆積抑制機能が発揮されるようになっている。
【００７８】
（２−１）フィルタロック機能
フィルタロック機能は、フィルタユニット５０の支持フレーム７０への装着状態を安定的に保持する機能である。すなわち、フィルタ差込部７０８の前端部分は、開放していることから、フィルタユニット５０をフィルタ差込部７０８に差し込んだだけでは、フィルタユニット５０の前端近傍部分が、前方向または上方向に浮き上がったりぐらついたりして、不安定な状態である。よって、そのままの状態では、清掃ユニット６０のブラシ６０２がエアフィルタ５２に完全に接触しない等の理由により、清掃ユニット６０が効果的に機能しない場合がある。そこで、図１２に示すように、固定部８１０の後部８１０ｃがフィルタガイド５１の連結部５１１および上フィルタ５２ａの一部（被当接部５００）と当接して、フィルタユニット５０の前端近傍部分の浮き上がりやぐらつきを抑えている。
【００７９】
（２−２）埃堆積抑制機能
埃堆積抑制機能は、エアフィルタ５２に吸着されずに前面パネル３０６側下方へと落下する塵埃を傾斜板８２で受けて、フィルタユニット５０の前端より下方に位置する清掃ユニットボックス６１の上面部６１ａや正面部６１ｂなどに塵埃が堆積することを抑制する機能である。
【００８０】
室内機３においては、フィルタユニット５０や清掃ユニット６０のメンテナンス等を行う際に、通常、まず前面パネル３０６および清掃ユニットボックス６１を取り外して作業を行う。その際、例えば図１３に示すように埃受け部材８０が使用されていなければ、作業時に、フィルタに吸着されないで清掃ユニットボックス６１の上面部６１ａ等に付着・堆積した塵埃が、飛散・落下して室内空間が汚染される場合がある。そこで、このような事態を防止するために、傾斜板８２の傾斜面８２ａが、清掃ユニットボックス６１の上方に位置して上方から落下する塵埃を受けている。
【００８１】
傾斜面８２ａは、図４に示すように、前面パネル３０６近傍から上フィルタ５２ａ近傍まで前後方向に延びている。また、その左右方向の長さは、図１０および図１１に示すように、上フィルタ５２ａの左右方向の長さと略同一である。よって、傾斜面８２ａは、清掃ユニットボックス６１上方近傍の空間をほぼ塞いでいる。そのため、傾斜面８２ａの上方から落下する塵埃が傾斜面８２ａより下方へ落下しにくいようになっており、清掃ユニットボックス６１の上面部６１ａなどに塵埃が堆積しにくいようになっている。
【００８２】
一方で、傾斜面８２ａは、ロック状態においては、図４に示すように、上フィルタ５２ａ方向に向かって下り勾配をつけて傾斜している。このため、傾斜面８２ａが受けた塵埃は、上フィルタ５２ａ方向に滑落しやすいようになっている。また、傾斜面８２ａは、清掃ユニットボックス６１よりも風速が速い箇所に位置している。よって、室内ファン３２が作動して空気流が生成されると、傾斜面８２ａが受けた塵埃は、生成された空気流に流されて上フィルタ５２ａ方向に飛散または滑落しやすいようになっている。そして、上フィルタ５２ａ方向へと移動した塵埃は、上フィルタ５２ａに吸着されることから、塵埃が傾斜面８２ａに堆積しにくいようになっている。
【００８３】
（３）特徴
（３−１）
上記実施形態では、前面パネル３０６と上フィルタ５２ａとの間において上フィルタ５２ａの下端近傍に、傾斜板８２が配設されている。傾斜板８２は、上方から落下する塵埃を受ける傾斜面８２ａを有している。これにより、上フィルタ５２ａに吸着されずに落下する塵埃は傾斜面８２ａで保持されやすいようにできている。また、傾斜面８２ａは上フィルタ５２ａ方向に向かって下り勾配がつけられている。これにより、傾斜面８２ａにたまった塵埃が上フィルタ５２ａ方向に流されて上フィルタ５２ａに吸着され保持されやすい。このため、傾斜面８２ａの下方に位置する清掃ユニットボックス６１の上面部６１ａに塵埃が堆積しにくくなっている。よって、メンテナンスを行う場合に室内機３の前面パネル３０６を取り外したとき、塵埃が室内へと飛散して室内空間が汚染されることが抑制されるようになっている。したがって、メンテナンス性を向上できている。
【００８４】
（３−２）
上記実施形態では、ケーシング３０は前後方向または上下方向よりも左右方向に長い。すなわち、ケーシング３０の長手方向とは、左右方向のことである。そして、傾斜面８２ａは、ケーシング３０の長手方向である左右方向に沿って延びている。これにより、上フィルタ５２ａに吸着されずに落下する塵埃が、傾斜面８２ａでさらに保持されやすくなっており、傾斜面８２ａの下方に位置する清掃ユニットボックス６１の上面部６１ａに塵埃がさらに堆積しにくいようになっている。
【００８５】
（３−３）
上記実施形態では、埃受け部材８０は、支持フレーム７０の軸受け部７１１に回動自在に固定されており、その傾斜面８２ａが上フィルタ５２ａに近づく方向に回動してフィルタユニット５０の一部分（被当接部５００）と当接することにより、フィルタユニット５０の浮き上がりやぐらつきを抑制して、フィルタユニット５０の支持フレーム７０への装着状態を安定的に保持している。
【００８６】
このように埃受け部材８０が、フィルタロック機能および埃堆積抑制機能の双方を同時に発揮できるように一体に構成されていることにより、埃受け部材８０とフィルタロック部材とを別々に製造する必要がなく、簡単な構成でメンテナンス性を向上できるとともに製造コストを抑えることができている。
【００８７】
（３−４）
上記実施形態では、傾斜面８２ａは、前面パネル３０６を取り外した時に室内側に露出する清掃ユニットボックス６１の上方に位置している。これにより、清掃ユニットボックス６１の上面部６１ａや、正面部６１ｂと前面パネル３０６との間などに塵埃が堆積しにくいようにできている。
【００８８】
（３−５）
上記実施形態では、傾斜面８２ａは、前面パネル３０６近傍から上フィルタ５２ａ近傍まで延びている。これにより、清掃ユニットボックス６１の上方近傍における前面パネル３０６から上フィルタ５２ａまでの空間の大部分が傾斜面８２ａによって塞がれ、清掃ユニットボックス６１の上面部６１ａや、正面部６１ｂと前面パネル３０６との間などに塵埃が堆積しにくいようにできている。
【００８９】
（３−６）
上記実施形態では、傾斜面８２ａは、第１ローラ５１３の上方であって清掃ユニットボックス６１の配設箇所よりも風速が速い箇所に位置している。これにより、傾斜面８２ａに溜まった塵埃が上フィルタ５２ａ側へとさらに流れやすくなり、傾斜面８２ａおよび清掃ユニットボックス６１などに塵埃がさらに堆積しにくいようにできている。
【００９０】
（４）変形例
（４−１）変形例１Ａ
上記実施形態では、室内機３は、清掃ユニット６０を搭載しフィルタ清掃機能を有していたが、清掃ユニット６０については省略してもよい。その場合には、清掃ユニットボックス６１が存在しないことから、傾斜板８２は、傾斜板８２より下方に位置する他の部材に埃が堆積するのを抑制する役割を果たす。
【００９１】
（４−２）変形例１Ｂ
上記実施形態では、前面パネル３０６は、左側板３０４および右側板３０５に着脱可能に装着されたが、前面パネルの配設態様についてはこれに限定されない。例えば、前面パネル３０６は、上下に開閉するようにヒンジ式に取り付けられてもよい。
【００９２】
（４−３）変形例１Ｃ
上記実施形態では、エアフィルタ５２は、環状のループフィルタが用いられたが、これに限定されない。例えば、往復式のフィルタであってもよく、移動しないタイプのフィルタでもよい。
【００９３】
（４−４）変形例１Ｄ
上記実施形態では、埃受け部材８０は、樹脂を素材として構成されたが、これに限定されず、発明の目的を達成できるのであれば、どのような素材を用いてもよい。
【００９４】
（４−５）変形例１Ｅ
上記実施形態では、埃受け部材８０は、ケーシング３０内において左右にひとつずつ合計２つが配設されたが、これに限定されず、例えばひとつであってもよい。その場合、埃受け部材８０は、その左右の長さが、支持フレーム７０の左右の長さと略同一の長さであることが好ましい。
【００９５】
（４−６）変形例１Ｆ
上記実施形態では、埃受け部材８０は、独立した部材として構成されたが、これに限定されない。例えば、埃受け部材８０を、支持フレーム７０の一部として支持フレーム７０と一体に構成してもよく、また前面パネル３０６の一部として前面パネル３０６と一体に構成してもよい。
【００９６】
（４−７）変形例１Ｇ
上記実施形態では、埃受け部材８０は、支持フレーム７０の軸受け部７１１に回動自在に取り付けられていたが、埃受け部材８０の取付態様についてはこれに限定されない。例えば、埃受け部材８０は、必ずしも回動自在に取り付けられなくてもよい。また、埃受け部材８０は、その使用時において上フィルタ５２ａ下端近傍の空気流上流側に位置するのであれば、どのような態様で取り付けられてもよい。
【００９７】
（４−８）変形例１Ｈ
上記実施形態では、埃受け部材８０は、係合部８１３が係合リブ７０９と係合するとともに、凹部８１１ａが嵌合リブ７１０と嵌合することで、機能を発揮するように構成されていたが、係合態様や嵌合態様についてはこれに限定されず、例えば、フィルタガイド５１に係合リブ７０９を設けてもよい。また、係合部８１３・係合リブ７０９、凹部８１１ａ・嵌合リブ７１０のいずれか一方を省略してもよい。
【００９８】
また、埃受け部材８０は、ロック状態とアンロック状態とで異なる状態を呈したが、これに限定されず、例えば、アンロック状態については適宜省略してもよい。すなわち、埃受け部材８０は、常時機能を発揮する状態で固定されて設けられてもよい。
【００９９】
（４−９）変形例１Ｉ
上記実施形態では、固定部８１０の後部８１０ｃが被当接部５００と当接することで、フィルタロック機能を実現していたが、フィルタロックの態様についてはこれに限定されない。また、フィルタロック機能については適宜省略してもよい。その場合、埃受け部材８０とは別にフィルタロック部材を設けることが好ましい。
【産業上の利用可能性】
【０１００】
本発明は、空調室内機に利用可能である。
【符号の説明】
【０１０１】
３            室内機
３０          ケーシング
３０６        前面パネル
３３          フィルタ機構
５０          フィルタユニット
５００        被当接部
５１          フィルタガイド
５１３        第１ローラ
５１６        把手
５２ａ        上フィルタ
６１          清掃ユニットボックス
６１ａ        上面部
６１ｂ        正面部
７０          支持フレーム
７０９        係合リブ
７１０        嵌合リブ
７１１        軸受け部
８０          埃受け部材
８１          支持部
８１０        固定部
８１０ｃ      後部
８１１        シャフト
８１１ａ      凹部
８１２        回転軸
８１３        係合部
８２          傾斜板
８２ａ        傾斜面
【先行技術文献】
【特許文献】
【０１０２】
【特許文献１】特開平６−１１４２２４号公報
【図１】
0005617894.tif 000002
【図２】
0005617894.tif 000003
【図３】
0005617894.tif 000004
【図４】
0005617894.tif 000005
【図５】
0005617894.tif 000006
【図６】
0005617894.tif 000007
【図７】
0005617894.tif 000008
【図８】
0005617894.tif 000009
【図９Ａ】
0005617894.tif 000010
【図９Ｂ】
0005617894.tif 000011
【図９Ｃ】
0005617894.tif 000012
【図９Ｄ】
0005617894.tif 000013
【図１０】
0005617894.tif 000014
【図１１】
0005617894.tif 000015
【図１２】
0005617894.tif 000016
【図１３】
0005617894.tif 000017